(57)【要約】【課題】  水による脱臭を行うトイレ空間用脱臭装置において、ファン装置の被水による故障を抑止するとともに、止水不良により脱臭ができなくなることを抑止し、かつ、漏水を抑止することができるトイレ空間用脱臭装置を提供する。【解決手段】  脱臭風路には、吸気部から気体を引き込むファン装置と、水を溜めることが可能な水溜め部と、を備え、水溜め部に水を供給する給水部と、排水口を形成し水溜め部と連通する排水部材と、を有し、排水部材は、排水口が上方を向くことで水溜め部に水を溜める第１姿勢と、排水口が下方を向くことで水溜め部に溜めた水を排水口から排水する第２姿勢と、に姿勢を変更可能に構成され、第１姿勢における排水口の上下方向の位置は水溜め部の下面より上側に位置し、第２姿勢における上記排水口の上下方向の位置は水溜め部の下面より下側に位置する。【選択図】  図４
2020165284.tif 000002
【特許請求の範囲】
【請求項１】
気体を吸気する吸気部と、脱臭した気体を排気する排気部と、を連通する脱臭風路を形成し、
上記脱臭風路には、上記吸気部から気体を引き込むファン装置と、水を溜めることが可能な水溜め部と、を備え、
上記水溜め部に水を供給する給水部と、
排水口を形成し上記水溜め部と連通する排水部材と、を有し、
上記排水部材は、上記排水口が上方を向くことで上記水溜め部に水を溜める第１姿勢と、上記排水口が下方を向くことで上記水溜め部に溜めた水を上記排水口から排水する第２姿勢と、に姿勢を変更可能に構成され、
上記第１姿勢における上記排水口の上下方向の位置は上記水溜め部の下面より上側に位置し、上記第２姿勢における上記排水口の上下方向の位置は上記水溜め部の下面より下側に位置する、
トイレ空間用脱臭装置。
【請求項２】
上記排水部材は、上記排水口の上下方向の位置が上記第１姿勢と上記第２姿勢との間に位置する、第３姿勢に変更可能に構成される
請求項１に記載のトイレ空間用脱臭装置。
【請求項３】
上記水溜め部に溜めた水の水位が上記第１姿勢の上記排水部材の上記排水口の上下方向の位置を超える場合に、上記水溜め部に溜めた水を排水するオーバーフロー手段を有する
請求項１または２に記載のトイレ空間用脱臭装置。
【請求項４】
上記オーバーフロー部は、上記吸気口下端面を下方へ切欠いて形成される凹部である
請求項３に記載のトイレ空間用脱臭装置。
【発明の詳細な説明】
【技術分野】
【０００１】
本発明は、トイレ空間用脱臭装置に関する。
【背景技術】
【０００２】
トイレ空間において脱臭を行うトイレ空間用脱臭装置として、種々のものが知られている。また、トイレ空間における空気に含まれる臭気成分の中には、水溶性が高いものがあることが知られており、空気を水に接触させることによって、空気に含まれる臭気成分を水に溶解させるトイレ空間用脱臭装置が提案されている。
【０００３】
この種のトイレ空間用脱臭装置として、例えば、特許文献１に示すものが知られている。特許文献１に記載のトイレ空間用脱臭装置は、便鉢部と外部とを連通する気体流路を有し、気体流路に気体を吸引するファン装置と、吸引した気体に水を噴出する水噴出装置と、水噴出装置によって噴出された水を便鉢部に導出する水導出部を備える。
また、例えば、特許文献２に示すものが知られている。特許文献２に記載のトイレ空間用脱臭装置は、市水を供給する給水路と、水を貯水し悪臭を含んだ空気が導入される消臭室と、消臭室に貯水した水を排水する排水路と、便器内の開口部とを連通する水路とを有し、排水路には、一定期間ごとに水を排水路から排水する開閉弁を備える。
【先行技術文献】
【特許文献】
【０００４】
【特許文献１】特開２０１７−２２３０３０号公報
【特許文献２】実開平４−１１７０７４号公報
【発明の概要】
【発明が解決しようとする課題】
【０００５】
特許文献１のような形態においては、水噴出装置によって噴出した水をファン装置が引き込む可能性がある。そのため、引き込まれた水によりファン装置が被水することで、ファン装置が故障する懸念がある。
ここで、特許文献２のように水中に空気を導入する形態においては、吸引した気体に水を噴出させる形態に比べて、ファン装置が被水することを抑制することができる。しかし、消臭室内に貯水した水に含まれるゴミ等が、排水路中に設けられた開閉弁でゴミかみを生じさせる可能性がある。そのため、開閉弁を閉じられない止水不良状態となり、貯水が行えなくなり、脱臭を行えなくなる懸念がある。また、開閉弁が閉じた状態が続いた場合、粘着性のゴミが開閉弁に付着することで、開閉弁の固着が生じる可能性がある。そのため、開閉弁が固着し開閉弁が開けられない状態で消臭室に水が供給される場合、排水路以外から水が排出されてしまい、漏水が生じる懸念がある。
【０００６】
本発明は上記の課題を解決するものであって、水による脱臭を行うトイレ空間用脱臭装置において、ファン装置の被水による故障を抑止するとともに、止水不良により脱臭ができなくなることを抑止し、かつ、漏水を抑止することができるトイレ空間用脱臭装置を提供する。
【課題を解決するための手段】
【０００７】
第１の発明のトイレ空間用脱臭装置は、気体を吸気する吸気部と、脱臭した気体を排気する排気部と、を連通する脱臭風路を形成し、上記脱臭風路には、上記吸気部から気体を引き込むファン装置と、水を溜めることが可能な水溜め部と、を備え、上記水溜め部に水を供給する給水部と、排水口を形成し上記水溜め部と連通する排水部材と、を有し、上記排水部材は、上記排水口が上方を向くことで上記水溜め部に水を溜める第１姿勢と、上記排水口が下方を向くことで上記水溜め部に溜めた水を上記排水口から排水する第２姿勢と、に姿勢を変更可能に構成され、上記第１姿勢における上記排水口の上下方向の位置は上記水溜め部の下面より上側に位置し、上記第２姿勢における上記排水口の上下方向の位置は上記水溜め部の下面より下側に位置する、トイレ空間用脱臭装置である。
第１の発明によれば、排水部材は第１姿勢の際に、排水口の上下方向の位置が水溜め部の下面より上側に位置することで水溜め部に水を溜め、第２の姿勢の際に、排水口の上下方向の位置が水溜め部の下面より下側に位置することで水溜め部の水を排出することができる。そのため、水溜め部に水を溜める状態と水溜め部から水を排水する状態とを、開閉弁のように弁が弁座に接触する状態と接触しない状態とで切り替えるような形態に比べて、開閉弁のゴミかみによる止水不良を抑止することができる。また、水溜め部に水を溜める状態と水溜め部から水を排水する状態とを、開閉弁のように弁が弁座に接触する状態と接触しない状態とで切り替えるような形態に比べて、開閉弁の固着による漏水を抑止することができる。
第２の発明は、第１の発明において、上記排水部材は、上記排水口の上下方向の位置が上記第１姿勢と上記第２姿勢との間に位置する、第３姿勢に変更可能に構成される。
第２の発明によれば、排水部材を第３姿勢とすることで、水溜め部に溜める水の水位を第１姿勢にしたときに比べて小さくすることができる。そのため、ファン装置への水の引き込みを抑止できる。
第３の発明は、第１または第２の発明において、記水溜め部に溜めた水の水位が上記第１姿勢の上記排水部材の上記排水口の上下方向の位置を超える場合に、上記水溜め部に溜めた水を排水するオーバーフロー手段を有する。
第３の発明によれば、水溜め部に過剰な給水が生じたときにオーバーフロー手段より排水することができる。
第４の発明は、第３の発明において、上記オーバーフロー部は、上記吸気口下端面を下方へ切欠いて形成される凹部である。
第４の発明によれば、仮に排水口が閉塞してしまった場合には、凹部より、排水することができる。
【発明の効果】
【０００８】
本発明のトイレ空間用脱臭装置によれば、水による脱臭を行うにあたって、ファン装置の被水による故障を抑止するとともに、止水不良により脱臭ができなくなることを抑止し、かつ、漏水を抑止することができる。
【図面の簡単な説明】
【０００９】
【図１】本発明の第１実施形態のトイレ装置の斜視図である。
【図２】本発明の第１実施形態の水脱臭ユニットの斜視図である。
【図３】図２の水脱臭ユニットからカバーを外した状態の斜視図である。
【図４】本発明の第１実施形態の水脱臭ユニットの断面図である。
【図５】本発明の第１実施形態の水脱臭ユニットにおける第１姿勢時の断面図である。
【図６】本発明の第１実施形態の水脱臭ユニットにおける第２姿勢時の断面図である。
【図７】本発明の第２実施形態の水脱臭ユニットにおける第１姿勢時の断面図である。
【図８】本発明の第２実施形態の変形例の水脱臭ユニットにおける第２姿勢時の断面図である。
【発明を実施するための形態】
【００１０】
以下、添付図面を参照しながら本発明の第１実施形態について説明する。説明の理解を容易にするため、各図面において同一の構成要素に対しては可能な限り同一の符号を付して、重複する説明は省略する。
【００１１】
図１は本実施形態のトイレ装置１の斜視図である。図１に示すように、トイレ空間に設置されるトイレ装置１は、腰掛大便器１００（以下、単に便器１００と称する）と、便器１００の上に設置された衛生洗浄装置２００とを有する。便器１００は、上方に向けて開口され水が溜められるボウル部１０１を有する。ボウル部１０１は操作部（図示せず）を使用者が操作することで洗浄水により洗浄され、排水配管（図示せず）へと洗浄水を排水する。衛生洗浄装置２００は、便器１００に腰掛けた使用者のおしりなどの局部の洗浄を実現する局部洗浄機能部などを有する。なお、図１においては、衛生洗浄装置２００のカバー、局部洗浄機能部に含まれるノズル等を図示せず省略している。
【００１２】
また、衛生洗浄装置２００は、トイレ空間用脱臭装置１０（以下、単に脱臭装置１０と称する）を有する。脱臭装置１０は、水脱臭ユニット２０と、制御部９０とを有する。
【００１３】
図２は、本実施形態の水脱臭ユニット２０の斜視図である。
図３は、図２の水脱臭ユニット２０からカバー２２を外した状態の斜視図である。
図４は、本実施形態の水脱臭ユニット２０の断面図である。
【００１４】
図２〜図４に示すように、水脱臭ユニット２０は、ケース２１と、カバー２２とを有する。ケース２１とカバー２２との間の空間に、水脱臭部４０、ファン装置６０、および酸化触媒（図示せず）が設けられている。
【００１５】
ファン装置６０の駆動により、ケース２１とカバー２２との間の空間内を気体である空気が流れる。この空気が流れる風路（脱臭風路）８０の一端部に吸気部１２３が設けられ、他端部に排気部１２４が設けられている。吸気部１２３は吸気口２３を形成し、排気部１２４は排気口２４を形成する。脱臭風路８０は吸気口２３と排気口２４とを連通する。脱臭風路８０において吸気口２３および排気口２４以外の領域は、ケース２１およびカバー２２によって覆われている。以降、脱臭風路８０から見てケース２１のある方向を上（上方向）、カバー２２のある方向を下（下方向）として説明する。
【００１６】
吸気口２３は脱臭風路８０の最上流に位置し、排気口２４は脱臭風路８０の最下流に位置する。ファン装置６０は、水脱臭部４０よりも、脱臭風路８０における下流側に配置されている。酸化触媒（図示せず）は、ファン装置６０よりも、脱臭風路８０における下流側に配置されている。吸気口２３と排気口２４との間に、吸気口２３側から順に、水脱臭部４０、ファン装置６０、および酸化触媒（図示せず）が配置されている。
【００１７】
水脱臭部４０は、水溜め部５０を有する。水溜め部５０は、吸気口２３とファン装置６０との間に位置し、ケース２１に形成された凹部である。水溜め部５０の側壁を形成する部分は吸気部１２３として機能し、吸気口２３は水溜め部５０の側壁を形成する部分の上端とカバー２２の下面とで形成される。水脱臭ユニット２０が図４に示す便器１００の上に設置された状態において、吸気口２３はボウル部１０１に向けて開口する。また、カバー２２の下面の水溜め部５０上側に整流部２７が設けられている。整流部２７は、カバー２２下面から脱臭風路８０に向けて突出する壁部である。ファン装置６０の駆動により、吸気口２３から水溜め部５０に空気が吸気される。
【００１８】
図２および図３に示すように、水溜め部５０に給水部２６が接続されている。給水部２６は水溜め部５０の側壁を形成する部分に給水口２６ａを形成している（図５および６参照）。給水口２６ａから水溜め部５０に向けて水が給水され、水溜め部５０にてその水を溜めることが可能となっている。水溜め部５０に溜められた水の水面は脱臭風路８０の一部を形成する。
【００１９】
水溜め部５０に溜められた水は、排水部材２５の一端に設けられた排水口２５ａから排水される。排水口２５ａから排水された水は、ボウル部１０１へ排水される。排水部材２５はＬ字状に形成された樹脂製の硬質部材であり、排水部材２５と水溜め部５０との間には内部に接続流路を形成する接続流路形成部２９が設けられる。排水部材２５は上下方向に回動可能に、他端側が接続流路部材２９に取り付けられる。接続流路形成部２９は水溜め部５０と排水部材２５の他端とを連通し、接続流路の下面２９ａは水溜め部５０の下面と接続しするように延びる。接続流路の下面２９ａは排水部材２５の他端側へ向けて下り傾斜している。また、水溜め部５０の下面は接続流路の下面２９ａへ向かう方向へと下り傾斜している。
【００２０】
接続流路形成部２９には駆動部７０が取り付けられている。駆動部７０はモーター（図示せず）とモーター（図示せず）の回転を排水部材２５に伝達する伝達部（図示せず）とを備えている。モーター（図示せず）は制御部９０によって制御される。伝達部（図示せず）は接続流路の外側、即ち、給水口２６ａから給水された水が触れない位置にてモーター（図示せず）の回転を排水部材２５に伝達する。伝達部（図示せず）は例えば、ギヤにて構成されるが、本発明はギヤ以外の構成にてモーターの回転を伝達する構成としてもよい。このような構成により、排水部材２５は、駆動部７０により上下方向に回動される。
【００２１】
駆動部７０により、排水部材２５が上下方向に回動することで、排水口２５ａの向きの変更が可能となっている。制御部９０は、給水口２６ａから水溜め部５０に水を給水し、水溜め部５０に水を溜める場合には、排水口２５ａが上方を向く第１姿勢とする。第１姿勢の際には、排水口２５ａの下端は水溜め部５０の下面の下端よりも上側に位置する。排水部材２５が第１姿勢となる場合、排水口２５ａの上下方向における位置が水溜め部５０に溜められる水の最高水位を規定する。即ち、水溜め部５０の水位が排水口２５ａの下端位置を越えると、排水口２５ａから排水される。このような構成により、水溜め部５０に水が溜められた状態においては、接続流路内及び排水部材２５にも水が溜められた状態となる。また、制御部９０は、水溜め部５０から排水する場合には、排水口２５ａが下方を向く第２姿勢とする。第２姿勢の際には、排水口２５ａの下端は水溜め部５０の下面の下端よりも下側に位置する。このような構成により、水溜め部５０に溜められた水は接続流路を介して排水部材２５の排水口２５ａから、ボウル部１０１へ排水される。
【００２２】
吸気口２３を形成している、水溜め部５０の側壁を形成する部分、即ち、吸気口２３下端面は、下方へ切欠いて形成される凹部２３ａを有する。凹部２３ａは水溜め部５０に溜めた水の水位が第１姿勢の排水部材２５の排水口２５ａの上下方向の位置を超える場合に、水溜め部５０に溜めた水を排水部材２５を介さずにボウル部１０１へ排水するオーバーフロー手段として機能する。
【００２３】
次に、本実施形態の脱臭装置１０の動作について説明する。
図５は、本実施形態の水脱臭ユニットにおける第１姿勢時の断面図である。
図６は、本実施形態の水脱臭ユニットにおける第２姿勢時の断面図である。
なお、図５および図６においては水溜め部５０に溜められた水を図示せずに省略している。
【００２４】
図１に示す便器１００への使用者の着座が検知されると、制御部９０の制御により、ファン装置６０、および排水部材２５が駆動され、給水部２６から水溜め部５０へ水が給水される。このとき、図５に示すように排水部材２５は排水口２５ａが上方を向く第１姿勢をとることで、水溜め部５０に水が溜められる。また、排水部材２５の姿勢、即ち、排水口２５ａが向く方向はは任意の向きで変更可能である。
【００２５】
例えば、ファン装置６０の駆動と、給水部２６からの給水は同時に開始される。または、ファン装置６０の駆動タイミングと、給水タイミングにはタイムラグがあってもよい。制御部９０は、ファン装置６０の駆動開始および停止、ならびに給水部２６からの水の給水開始および停止を制御する。駆動されたファン装置６０は、吸気口２３から脱臭風路８０内に空気を吸気する。
【００２６】
図３及び図４において、ファン装置６０を駆動している際の脱臭風路８０内の空気の流れを黒太線の矢印で示す。吸気口２３から吸気された空気は、水溜め部５０の空間を流れてファン装置６０に吸い込まれ、排気口２４から脱臭装置１０外へと排気される。
【００２７】
図４に示すように、吸気口２３から吸気され臭気成分を含んだ空気は、整流部２７により水溜め部５０に溜められた水の水面へと向きが変更され、水面に沿うように流れ、水溜め部５０に溜められた水の水面が脱臭風路８０の一部を形成する。そして、臭気成分の内、アンモニアやトリメチルアミンなどの水溶性の高い臭気成分が水溜め部５０に溜められた水に溶解し、脱臭される。
【００２８】
脱臭風路８０中をさらに下流側に流れた空気中における、水Ｗに溶解しなかった硫化水素やメチルメルカプタンなどの、アンモニアやトリメチルアミンに比べて水に溶解しにくい臭気成分は、酸化触媒（図示せず）により脱臭される。酸化触媒（図示せず）は、硫化水素、メチルメルカプタンを酸化し分解する。
【００２９】
このように本実施形態によれば、水脱臭部４０で、水溶性の高いアンモニアやトリメチルアミンを脱臭でき、さらに、酸化触媒（図示せず）で、アンモニアやトリメチルアミンに比べて水に溶解しにくい硫化水素やメチルメルカプタンを脱臭することができる。脱臭された空気は、排気口２４から排気される。
【００３０】
また、吸気口２３から空気と一緒に吸い込まれた埃や紙片等の粉塵を、水溜め部５０に溜められた水で捕捉することができ、酸化触媒（図示せず）に粉塵が流れることによる酸化触媒７０の性能低下を抑制することができる。さらに、ファン装置６０が、水溜め部５０よりも脱臭風路の下流側に配置されているため、粉塵がファン装置６０へ到達してしまうことも抑制できる。また、通常、脱臭装置の吸気口には、粉塵を補足するためのメッシュフィルタが設けられるが、本実施形態においては、水溜め部５０により粉塵を補足することができ、メッシュフィルタを設けなくともよい。そのため、本実施形態においては、メッシュフィルタをメンテナンスする手間をなくすことができる。
【００３１】
また、水溜め部５０に水を溜め、ファン装置６０を駆動させて脱臭を行う際の排水部材２５の姿勢、即ち、排水口２５ａの位置は、第１姿勢よりも低く、第２姿勢よりも高い第３姿勢とすることができる。
【００３２】
使用者が便器１００からの離座を検知すると、ファン装置６０の駆動が停止し、排水部材２５が駆動する。このとき図６に示すように排水部材２５は排水口２５ａが下方を向く第２姿勢をとる。そして、水溜め部５０の下面は、接続流路の下面２９ａに向かって下り傾斜しているため、水溜め部５０に溜まっていた水は、接続流路を介し排水部材２５を通じて、排水口２５ａから便器１００のボウル部１０１に排水される。また、水溜め部５０に溜められた水に捕捉された水溶性の臭気成分も水とともに排水される。図１及び図６において、排水部材２５だ第２姿勢となり排水口２５ａから排水する際の水の流れを黒太線の矢印で示す。
【００３３】
本発明の第１実施形態であるトイレ装置１の脱臭装置１０によれば、排水部材２５は排水口２５ａが上方を向くことで水溜め部５０に水を溜める第１姿勢と、排水口２５ａが下方を向くことで水溜め部５０に溜めた水を排水口２５ａから排水する第２姿勢と、に姿勢を変更可能に構成され、第１姿勢における排水口２５ａの上下方向の位置は水溜め部５０の下面より上側に位置し、第２姿勢における排水口２５ａの上下方向の位置は水溜め部５０の下面より下側に位置する。そのため、水溜め部５０に水を溜める状態と水溜め部５０から水を排水する状態とを、開閉弁のように弁が弁座に接触する状態と接触しない状態とで切り替えるような形態とする必要がなく、開閉弁のゴミかみ及びゴミかみによる止水不良を防ぐことができる。また、水溜め部５０に水を溜める状態と水溜め部５０から水を排水する状態とを、開閉弁のように弁が弁座に接触する状態と接触しない状態とで切り替えるような形態とする必要がなく、開閉弁の固着及び固着による漏水を防止することができる。
【００３４】
また、本発明の第１実施形態であるトイレ装置１の脱臭装置１０によれば、排水部材２５は、排水口２５ａの上下方向の位置が第１姿勢と第２姿勢との間に位置する、第３姿勢に変更可能である。そのため、排水部材２５を第３姿勢とすることで、水溜め部５０に溜める水の水位を第１姿勢としたときに比べて小さくすることができる。水溜め部５０に溜める水の水位を第１姿勢としたときより小さくすることで、第１姿勢としたときよりも脱臭風路８０の流路断面積を大きくすることができる。脱臭風路８０の流路断面積を大きくすることで、水溜め部５０に溜めた水がファン装置６０へと引き込まれることを抑止することができる。また、水が引き込まれることを抑止することができるため、排水部材２５を第３姿勢とした状態においては、第１姿勢のときよりもファン装置６０により引き込まれる風量を大きくすることができる。
【００３５】
また、本発明の第１実施形態であるトイレ装置１の脱臭装置１０によれば、水溜め部５０に溜めた水の水位が第１姿勢の排水部材２５の排水口２５ａの上下方向の位置を超える場合に、水溜め部５０に溜めた水を排水するオーバーフロー手段として、凹部２３ａを有する。そのため、水溜め部５０に過剰な給水が生じたときに凹部２３ａより排水することができる。
【００３６】
また、本発明の第１実施形態であるトイレ装置１の脱臭装置１０によれば、オーバーフロー手段は、吸気口２３端面を下方へ切欠いて形成される凹部２３ａである。そのため、仮にバイオフィルムまたは水溜め部５０への異物の混入などで排水部材２５が閉塞してしまった場合には、水溜め部５０への過剰な給水が生じる際は、凹部２３ａから排水することができる。これにより、脱臭装置１０からボウル部１０１と異なる場所にに水が漏れ出てしまうことを抑止することができる。
【００３７】
次に、図７を参照して、本発明の第２実施形態による脱臭装置を説明する。
本実施形態の脱臭装置は、駆動部が水脱臭ユニット全体を駆動させることで排水部材を第１姿勢と第２姿勢とに変更する点が、上述した第１実施形態とは異なる。従って、ここでは、本発明の第２実施形態の、第１実施形態とは異なる部分のみを説明し、同様の構成、作用、効果については説明を省略する。図７は、本発明の第２実施形態の水脱臭ユニットにおける第１姿勢時の断面図である。
【００３８】
図７に示すように、排水部材２２５と水溜め部５０との間には内部に接続流路を形成する接続流路形成部２９が設けられる。排水部材２２５はＬ字状に形成された樹脂製の硬質部材であり、一端には排水口２２５ａが形成され、排水口２２５ａから排水された水は、ボウル部１０１へ排水される。排水部材２２５の他端側が接続流路部材２９に固定して取り付けられる。接続流路形成部２９は水溜め部５０と排水部材２２５の他端とを連通し、接続流路の下面２９ａは水溜め部５０の下面と接続しするように延びる。
【００３９】
また、図７に示すように、本実施形態における水脱臭ユニット２２０のケース２１には駆動部２７０が取り付けられている。駆動部２７０は、回転される回転軸部２７０ａと、回転軸部２７０ａの回転をケース２１に伝達する伝達部２７０ｂとを備えている。
【００４０】
回転軸部２７０ａは、ケース２１の排水部材２５とは水溜め部５０を挟んで逆側に配置される。回転軸部２７０ａは制御部９０によって制御されるモーター（図示せず）により回転される。伝達部２７０ｂは、回転軸部２７０ａから排水部材２２５側へ向けて延びる板状の部材であり、ケース２１の下面に固定される。伝達部２７０ｂはケース２１の下面、即ち、給水口２６ａから給水された水が触れない位置にて回転軸部２７０ａの回転をケース２１及びカバー２２に伝達する。なお、回転軸部２７０ａはモーター（図示せず）によって回転されるが、他の手段により回転されてもよい。このような構成により、駆動部２７０が上方へ駆動すると、回転軸部２７０ａを回転軸として伝達部２７０ｂとケース２１とが一体的に上方へ回動し、ケース２１の駆動部２７０が設けられた側とは逆側（即ち、排水部材２２５側）が上方へと持ち上げられる。また、駆動部２７０が下方へ駆動すると、ケース２１の駆動部２７０が設けられた側とは逆側（即ち、排水部材２２５側）は下方へと下げられる。
【００４１】
駆動部２７０により、排水部材２５が上下方向に回動することで、排水口２２５ａの向きの変更が可能となっている。制御部９０は、給水口２６ａから水溜め部５０に水を給水し、水溜め部５０に水を溜める場合には、図７に示す、排水口２２５ａが上方を向く第１姿勢とする。第１姿勢の際には、排水口２２５ａの下端は水溜め部５０の下面の下端よりも上側に位置する。排水部材２２５が第１姿勢となる場合、排水口２２５ａの上下方向における位置が水溜め部５０に溜められる水の最高水位を規定する。即ち、水溜め部５０の水位が排水口２２５ａの下端位置を越えると、排水口２２５ａから排水される。このような構成により、水溜め部５０に水が溜められた状態においては、接続流路内及び排水部材２２５にも水が溜められた状態となる。また、制御部９０は、水溜め部５０から排水する場合には、ケース２１を回動させることで、排水口２２５ａが下方を向く第２姿勢とする。第２姿勢の際には、排水口２２５ａの下端は水溜め部５０の下面の下端よりも下側に位置する。このような構成により、水溜め部５０に溜められた水は接続流路を介して排水部材２２５の排水口２２５ａから、ボウル部１０１へ排水される。
【００４２】
なお、本実施形態においては、排水部材２２５を接続流路部材２９に固定して取り付けたが、第１実施形態のように排水部材２２５を上下方向に回動可能とし、駆動部７０をさらに備える構成としてもよい。
【００４３】
さらに、駆動部２７０の変形例として、図８に示すように、駆動部２７０の伝達部２７０ｂをケース２１に固定しない形態としてもよい。図８は、本発明の第２実施形態の変形例の水脱臭ユニットにおける第２姿勢時の断面図である。
この形態においては、回転軸部２７０ａを回転軸として伝達部２７０ｂが上方へ回動すると、伝達部２７０ｂの回転軸部２７０ａ側とは逆側の端部にてケース２１の下面を押し上げていくことができる。これにより、駆動部２７０が上方へ駆動すると、ケース２１の駆動部２７０が設けられた側と同じ側（即ち、排水部材２２５と逆側）が上方へと持ち上げられる。よって、駆動部２７０が上方へ回動することでケース排水口２２５ａが下方を向く第２姿勢とすることができる。
【００４４】
以上説明した実施形態では、脱臭装置１０を衛生洗浄装置２００に設けた例を説明したが、本発明による脱臭装置は、大便器および小便器の少なくともいずれかを含むトイレ空間に設けられればよく、脱臭装置１０は例えば小便器に設けてもよい。
【００４５】
また、本発明は、排水部材２５をＬ字状の硬質部材としなくともよい。例えば、ゴム等で形成された可撓性のある軟質部材のチューブにて排水部材を形成する構成であってもよい。その場合、チューブの排水口側を駆動部により曲げることで、第１姿勢と第２姿勢とに姿勢を変更する。
【００４６】
また、本発明は、排水口２５ａからの排水先はボウル部１０１でなくともよい。例えば、ボウル部１０１に溜められた水の中に接続される流路を形成しこの流路に排水口から排水する構成、または、トイレ装置１の排水が流れこむ排水配管に接続される流路を形成この流路に排水口から排水する構成であってもよい。
なお、トイレ空間用脱臭装置の中でも、特に、衛生洗浄装置２００に設けられる脱臭装置は小型化が要請されるところ、排水口２５ａからボウル部１０１に向けて排水する構成は、ボウル部１０１に溜められた水の中に排水する構成や、排水配管に排水する構成より、脱臭装置の複雑化および大型化を抑制することができる。
【００４７】
以上、具体例を参照しつつ本発明の実施形態について説明した。しかし、本発明は、それらに限定されるものではなく、本発明の技術的思想に基づいて種々の変形が可能である。
【符号の説明】
【００４８】
１…トイレ装置、１０…脱臭装置、２０…水脱臭ユニット、２３…吸気口、２３ａ…凹部、２４…排気口、２５…排水部材、２５ａ…排水口、２６…給水部、４０…水脱臭部、５０…水溜め部、６０…ファン装置、７０…駆動部、８０…脱臭風路、９０、制御部、１００…便器、１０１…ボウル部、２００…衛生洗浄装置、２２０…水脱臭ユニット、２２５…排水部材、２２５ａ…排水口、２７０…駆動部、２７０ａ…回転軸部、２７０ｂ…伝達部
【図１】
2020165284.tif 000003
【図２】
2020165284.tif 000004
【図３】
2020165284.tif 000005
【図４】
2020165284.tif 000006
【図５】
2020165284.tif 000007
【図６】
2020165284.tif 000008
【図７】
2020165284.tif 000009
【図８】
2020165284.tif 000010